(57)【要約】【課題】直感的な視認性を得ることのできる遠隔監視システム及びそのプログラム、並びにプログラムを記録したコンピュータで読み取り可能な記録媒体を提供する。【解決手段】負荷に接続されて負荷の各種計測値を計測する複数の計測端末２と、各計測端末２に通信回線３を介して接続されて各計測端末２を監視する監視端末１とを備え、監視端末１は、各計測端末２から得られた計測データを記憶する第１のデータ記憶部と、各計測端末２を模写した外観画像データを記憶する外観画像記憶部と、画像を表示するディスプレイ１０と、第１のデータ記憶部及び外観画像記憶部からそれぞれ計測データ及び外観画像データを読み出してディスプレイ１０に計測データ及び外観画像１０ａを表示させる第１の制御部とを備え、第１の制御部は、外観画像１０ａにおいて計測端末２の表示画面に相当する位置Ａに計測データを表示させる。【選択図】図１
2009104554.tif 000002
【特許請求の範囲】
【請求項１】
互いに異なるアドレスを有し、負荷に接続されて負荷の各種計測値を計測する複数の計測端末と、各計測端末に通信回線を介して順次アドレスを指定して計測データを要求する要求コマンドを送信するとともに、要求コマンドを受信した計測端末から計測データを受信することで各計測端末を監視する監視端末とを備えた遠隔監視システムであって、計測端末は、箱体に形成されたハウジングを有するとともに、ハウジングの一面に少なくとも計測データを表示する第２の表示部が設けられて成り、監視端末は、各計測端末から得られた計測データを記憶する第１のデータ記憶部と、各計測端末のハウジングの前記一面を模写した外観画像データを記憶する外観画像記憶部と、画像を表示する第１の表示部と、第１のデータ記憶部及び外観画像記憶部からそれぞれ計測データ及び外観画像データを読み出して第１の表示部に計測データ及び外観画像を表示させる第１の制御部とを備え、第１の制御部は、外観画像において計測端末の第２の表示部に相当する位置に計測データを表示させることを特徴とする遠隔監視システム。
【請求項２】
前記計測端末は、ハウジングの前記一面に第２の表示部における計測データの表示を切り替える一乃至複数のキーを有する操作部を備え、監視端末は、外観画像の計測端末の操作部の各キーと対応する位置において操作入力を受け付ける受付手段を有し、第１の制御部は、受付手段において操作入力を受け付けると各キーに対応する計測データを第１のデータ記憶部から読み出して第１の表示部に表示させることを特徴とする請求項１記載の遠隔監視システム。
【請求項３】
請求項１に記載の遠隔監視システムにおいて実行されるプログラムであって、コンピュータから成る監視端末に、各計測端末に計測データを要求する処理と、要求に応じて各計測端末から送信された計測データを第１のデータ記憶部に記憶させる処理と、各計測端末のハウジングの前記一面を模写した外観画像データを外観画像記憶部に記憶させる処理と、外観画像記憶部から外観画像データを読み出して第１の表示部に表示させる処理と、第１のデータ記憶部から計測データを読み出して外観画像において計測端末の第２の表示部に相当する位置に計測データを表示させる処理とを実行させることを特徴とするプログラム。
【請求項４】
請求項２に記載の遠隔監視システムにおいて実行されるプログラムであって、コンピュータから成る監視端末に、各計測端末に計測データを要求する処理と、要求に応じて各計測端末から送信された計測データを第１のデータ記憶部に記憶させる処理と、各計測端末のハウジングの前記一面を模写した外観画像データを外観画像記憶部に記憶させる処理と、外観画像記憶部から外観画像データを読み出して第１の表示部に表示させる処理と、第１のデータ記憶部から計測データを読み出して外観画像において計測端末の第２の表示部に相当する位置に計測データを表示させる処理と、受付手段において操作入力を受け付けると各キーに対応する計測データを第１のデータ記憶部から読み出して第１の表示部に表示させる処理とを実行させることを特徴とするプログラム。
【請求項５】
請求項３又は４の何れか１項に記載のプログラムを記録したことを特徴とするコンピュータで読み取り可能な記録媒体。
【発明の詳細な説明】
【技術分野】
【０００１】
本発明は、計測端末から計測データを通信によって収集する遠隔監視システム及びそのプログラム、並びにプログラムを記録したコンピュータで読み取り可能な記録媒体に関する。
【背景技術】
【０００２】
従来から、ビルや工場等において、電気設備等での消費電力の低減策の検討や、各設備に備えられた各機器の保守のために、機器毎に消費電力量を計測する電力計、運転積算時間を計時する計時計、電源の入／切の積算回数を計数する計数計等の計測端末を多数分散配置するとともに、各々通信回線を介してパーソナルコンピュータ（以下、「パソコン」と呼ぶ）に接続することで、各設備及び各機器において消費電力量や運転積算時間、電源の入／切の積算回数等のデータを計測し、その計測データをパソコンで収集して集中的に監視する遠隔監視システムが提供されている。このような遠隔監視システムの従来例としては、図６（ａ）に示すように、パソコンのディスプレイ１００上に複数の計測端末の各電力量を格子状の罫線に仕切られた一覧として表示するものがある。また、例えば特許文献１に開示されているようなものがある。
【０００３】
特許文献１に記載の遠隔監視システムは、監視制御対象設備、即ち生産ライン、照明設備及び空調設備を監視制御するものであり、パソコン及び各種の監視制御装置から構成されている。監視制御装置は、それぞれ温度・湿度計測用、状態監視用及び生産量監視用であって生産ラインを監視するもの、照明制御用及び電力計測用であって照明設備を監視するもの、電力計測用及び温度計測用であって空調設備を監視するものがある。各監視制御装置とパソコンとは電力線を介して接続されており、各監視制御装置で得られた監視計測データをパソコンに送信し、パソコンでは、その監視計測データをディスプレイ２００上に表示することができるようになっている。例えば、図６（ｂ）に示すように、照明設備を監視する監視制御装置から得られた監視計測データを表示する場合には、パソコンに搭載されたハードディスクに予め記憶されている画像データと監視制御装置から得られた各種計測データに基づいて、照明設備の詳細、具体的には、設備の名称、アドレス、設置工場、設置場所、状態及び運転モード等を表示する設備詳細表示部２０１や、電力状態を表示する電力状態表示部２０２等をディスプレイ２００上に表示することができる。
【特許文献１】特開２００１−３５０５１５号公報
【発明の開示】
【発明が解決しようとする課題】
【０００４】
しかしながら、図６（ａ）に示す従来例では、複数の計測端末の電力量等をディスプレイに表示するだけであり、また、特許文献１に記載の従来例では、監視制御対象設備の動作状態を示す一覧をディスプレイに表示するものであって、何れも実際の計測端末若しくは監視制御装置の外観を想起させるものではないために、直感的な視認性を得難いという問題があった。
【０００５】
本発明は、上記の点に鑑みて為されたもので、直感的な視認性を得ることのできる遠隔監視システム及びそのプログラム、並びにプログラムを記録したコンピュータで読み取り可能な記録媒体を提供することを目的とする。
【課題を解決するための手段】
【０００６】
請求項１の発明は、上記目的を達成するために、互いに異なるアドレスを有し、負荷に接続されて負荷の各種計測値を計測する複数の計測端末と、各計測端末に通信回線を介して順次アドレスを指定して計測データを要求する要求コマンドを送信するとともに、要求コマンドを受信した計測端末から計測データを受信することで各計測端末を監視する監視端末とを備えた遠隔監視システムであって、計測端末は、箱体に形成されたハウジングを有するとともに、ハウジングの一面に少なくとも計測データを表示する第２の表示部が設けられて成り、監視端末は、各計測端末から得られた計測データを記憶する第１のデータ記憶部と、各計測端末のハウジングの前記一面を模写した外観画像データを記憶する外観画像記憶部と、画像を表示する第１の表示部と、第１のデータ記憶部及び外観画像記憶部からそれぞれ計測データ及び外観画像データを読み出して第１の表示部に計測データ及び外観画像を表示させる第１の制御部とを備え、第１の制御部は、外観画像において計測端末の第２の表示部に相当する位置に計測データを表示させることを特徴とする。
【０００７】
請求項２の発明は、請求項１の発明において、計測端末は、ハウジングの前記一面に第２の表示部における計測データの表示を切り替える一乃至複数のキーを有する操作部を備え、監視端末は、外観画像の計測端末の操作部の各キーと対応する位置において操作入力を受け付ける受付手段を有し、第１の制御部は、受付手段において操作入力を受け付けると各キーに対応する計測データを第１のデータ記憶部から読み出して第１の表示部に表示させることを特徴とする。
【０００８】
請求項３の発明は、請求項１に記載の遠隔監視システムにおいて実行されるプログラムであって、コンピュータから成る監視端末に、各計測端末に計測データを要求する処理と、要求に応じて各計測端末から送信された計測データを第１のデータ記憶部に記憶させる処理と、各計測端末のハウジングの前記一面を模写した外観画像データを外観画像記憶部に記憶させる処理と、外観画像記憶部から外観画像データを読み出して第１の表示部に表示させる処理と、第１のデータ記憶部から計測データを読み出して外観画像において計測端末の第２の表示部に相当する位置に計測データを表示させる処理とを実行させることを特徴とする。
【０００９】
請求項４の発明は、請求項２に記載の遠隔監視システムにおいて実行されるプログラムであって、コンピュータから成る監視端末に、各計測端末に計測データを要求する処理と、要求に応じて各計測端末から送信された計測データを第１のデータ記憶部に記憶させる処理と、各計測端末のハウジングの前記一面を模写した外観画像データを外観画像記憶部に記憶させる処理と、外観画像記憶部から外観画像データを読み出して第１の表示部に表示させる処理と、第１のデータ記憶部から計測データを読み出して外観画像において計測端末の第２の表示部に相当する位置に計測データを表示させる処理と、受付手段において操作入力を受け付けると各キーに対応する計測データを第１のデータ記憶部から読み出して第１の表示部に表示させる処理とを実行させることを特徴とする。
【００１０】
請求項５の発明は、請求項３又は４の何れか１項に記載のプログラムを記録したことを特徴とする。
【発明の効果】
【００１１】
請求項１，３の発明によれば、監視端末の第１の表示部において計測端末のハウジングの一面を模写した外観画像を表示するとともに、計測端末で得られた計測データをその外観画像において計測端末の第２の表示部に相当する位置に表示することができるので、実際に計測端末を見ながら監視する感覚を得ることができ、したがって直感的な視認性を得ることができる。
【００１２】
請求項２，４の発明によれば、監視端末の第１の表示部において計測端末の操作部のキーに相当する位置で入力操作することで、キーに対応する計測データを第１の表示部に表示させることができるので、実際の計測端末を操作する感覚を得ることができ、操作性が向上する。
【００１３】
請求項５の発明によれば、コンピュータから成る監視端末にプログラムをインストールして実行させることができ、請求項１，３、若しくは請求項２，４に記載の発明の効果を奏することができる。
【発明を実施するための最良の形態】
【００１４】
以下、本発明に係る遠隔監視システムの実施形態について図面を用いて説明する。本実施形態は、図１（ａ）に示すように、互いに異なるアドレスを有し、電気機器等の負荷（図示せず）に接続されて負荷の各種計測値を計測する複数の計測端末２と、各計測端末２と通信回線３を介して接続されるとともに各計測端末２を監視する監視端末１とから構成される。
【００１５】
監視端末１は、コンピュータ（所謂パーソナルコンピュータ）から成り、図２（ａ）に示すように、第１の表示部であるディスプレイ１０と、各種制御を行う第１の制御部１１と、計測端末２との間で信号の送受信を行う第１の通信部１２と、計測端末２から得られた各種計測データを記憶する第１のデータ記憶部１３と、各計測端末２を模写した外観画像データを記憶する外観画像記憶部１４とを備える。尚、本実施形態の第１の通信部１２は、ＲＳ−２３２Ｃ規格若しくはＵＳＢ規格に準拠する通信回線３と接続するためのＲＳ−２３２Ｃポート、若しくはＵＳＢポートを備えている。また、監視端末１に設けられたハードディスク等の記憶装置（図示せず）には遠隔監視用プログラムが格納されており、当該プログラムをＣＰＵ等の演算処理部（図示せず）で実行させることで各計測端末２の監視を行うようになっている。尚、本発明に係る遠隔監視用プログラムを記憶装置に格納する方法としては、例えば遠隔監視用プログラムを記憶したコンピュータで読み取り可能な記録媒体（例えば、ＣＤ−ＲＯＭ）を監視端末１において読み込ませて、インストール作業を行う方法と、インターネット等のネットワークを通じてサーバーから遠隔監視プログラムを監視端末１にダウンロードし、インストール作業を行う方法とがある。
【００１６】
計測端末２は、電力計であって、図２（ｂ）に示すように、計測データ等を表示する第２の表示部であるディスプレイ２０と、各種制御を行う第２の制御部２１と、監視端末１との間で信号の送受信を行う第２の通信部２２と、自身に接続された負荷（図示せず）の電流、電圧等を計測するとともに電力量等を演算する計測部２４と、計測部２４で得られた計測データを格納する第２のデータ記憶部２３とを備え、各部を箱体に形成されたハウジング２ａ内に収納して成る。また、計測端末２は、ディスプレイ２０における計測データの表示を切り替える複数のキーを有する操作部２５を備えており、当該操作部２５を操作することで、例えば負荷の電圧値の表示、電流値の表示、電力量の表示等を適宜切り替えることができる。尚、図３（ａ），（ｂ）に示すように、ディスプレイ２０及び操作部２５はハウジング２ａの一面（図３（ａ）における紙面手前側の一面）に露出する。
【００１７】
監視端末１と各計測端末２との間は通信回線３を介して接続されている。本実施形態では、図１（ａ）に示すように、監視端末１と各計測端末２との間を変換機４を介して接続しており、各計測端末２と変換機４との間、及び各計測端末２間は各々ＲＳ−４８５規格に準拠した通信回線３で接続され、変換機４と監視端末１との間はＲＳ−２３２Ｃ規格若しくはＵＳＢ規格に準拠した通信回線３で接続されている。而して、監視端末１は、各計測端末２のアドレスを順次指定して各計測端末２に計測データを要求する要求コマンドを送信することができ、各計測端末２からは各計測端末２で得られた計測データを通信回線３を介して監視端末１に送信することができるようになっている。尚、監視端末１と各計測端末２との間の接続は上記の構成に限定されるものではなく、監視端末１と各計測端末２との間で信号の送受信を行える構成であればよい。
【００１８】
以下、本実施形態の動作について図４のフローチャートを用いて説明する。先ず、監視端末１において遠隔監視用プログラムを起動し（Ｓ０）、通信速度やフォーマット、通信回線３を介して監視端末１と接続されている各計測端末２のアドレスや機種情報等の設定を行う（Ｓ１）。次に、監視端末１の第１の制御部１１が、外観画像記憶部１４から監視端末１にて設定された各計測端末２の外観画像データを読み出してディスプレイ１０に送信し（Ｓ２）、ディスプレイ１０に外観画像１０ａを表示させる（Ｓ３）。
【００１９】
ここで、外観画像１０ａは、計測端末２のハウジングの一面、即ちディスプレイ２０及び操作部２５が露出する一面を模写したものである。尚、ディスプレイ１０における表示は、例えば図１（ｂ）に示すように、複数の計測端末２の外観画像１０ａを並べ、外観画像１０ａ毎に各計測端末２の局番（アドレス）１０ｂを表示する構成であってもよいし、図５に示すように、選択した一の計測端末２の外観画像１０ａを並べ、外観画像１０ａ毎に電流値、電圧値等の各種計測データを表示する構成であってもよく、何れの表示にするかは利用者が適宜選択できるようになっている。
【００２０】
その後、第１の制御部１１は、各計測端末２に通信回線３を介して順次アドレスを指定して計測データを要求する要求コマンドを第１の通信部１２から送信する（Ｓ４）。計測端末２では、計測部２４において電流、電圧等を常時計測しており、得られた計測データを第２のデータ記憶部２３に格納している。第２の通信部２２が監視端末１からの要求コマンドを受信すると、第２の制御部２１は第２のデータ記憶部２３から計測データを読み出し、当該計測データを第２の通信部２２から監視端末１へ送信する（Ｓ５）。監視端末１において、第１の通信部１２が計測データを受信すると（Ｓ６）、第１の制御部１１は当該計測データを第１のデータ記憶部１３に格納するとともに（Ｓ７）、第１のデータ記憶部１３に格納されている表示用の計測データを最新のデータに更新する（Ｓ８）。その後、第１の制御部１１は、第１のデータ記憶部１３から表示用の計測データを読み出してディスプレイ１０に送信し（Ｓ９）、予め表示されている外観画像１０ａにおいて計測端末２のディスプレイ２０に相当する位置Ａの計測データの表示を更新させる（Ｓ１０）。
【００２１】
ここで、第１の制御部１１は要求コマンドを所定周期で各計測端末２に送信するように設定されているので、以下遠隔監視用プログラムを終了させるまでＳ４〜Ｓ１０の処理を繰り返す。
【００２２】
上述のように、監視端末１のディスプレイ１０において計測端末２のハウジング２ａのディスプレイ２０及び操作部２５が露出する一面を模写した外観画像１０ａを表示するとともに、計測端末２で得られた計測データをその外観画像１０ａにおいて計測端末２のディスプレイ２０に相当する位置Ａに表示することができるので、実際に計測端末２を見ながら監視する感覚を得ることができ、したがって直感的な視認性を得ることができる。
【００２３】
ところで、監視端末１には、外観画像１０ａの計測端末２の操作部２５のキーに対応する位置において操作入力（本実施形態では、マウス（図示せず）によるクリック）を受け付ける受付手段（図示せず）が設けられており、ポインタ（図示せず）を何れかのキーに合わせた状態でマウスをクリックすることで受付手段が操作入力を受け付け、受付手段が操作入力を受け付けると、第１の制御部１１は、キーに対応する計測データを第１のデータ記憶部１３から読み出してキーに対応する計測データをディスプレイ１０に表示させるので、各種計測データの表示を切り替えることができる。例えば、操作表示部１０ｃにおいてポインタをキーＳＷ１に合わせた状態でマウスをクリックすれば、当該計測端末２が計測する負荷の電圧値の表示に切り替えることができ、ポインタをキーＳＷ２に合わせた状態でマウスをクリックすれば、当該計測端末２が計測する負荷の瞬時電力値若しくは積算電力量の表示に切り替えることができる。而して、監視端末１において実際の計測端末２を操作する感覚を得ることができ、操作性が向上する。
【図面の簡単な説明】
【００２４】
【図１】本発明の遠隔監視システムの実施形態を示す図で、（ａ）はシステムの概略図で、（ｂ）は画面構成図である。
【図２】同上の各機器の内部構成を示す図で、（ａ）は監視端末のブロック図で、（ｂ）は計測端末のブロック図である。
【図３】同上の計測端末を示す図で、（ａ）は正面図で、（ｂ）は側面図である。
【図４】同上の動作を示すフローチャートである。
【図５】同上の他の画面構成図である。
【図６】従来の遠隔監視システムを示す図で、（ａ）は計測端末の電力量を格子状の罫線に仕切られた一覧として表示する従来例の画面構成図で、（ｂ）は監視対象設備の動作状態等を表示する従来例の画面構成図である。
【符号の説明】
【００２５】
１  監視端末（パーソナルコンピュータ）
１０  ディスプレイ（第１の表示部）
１０ａ  外観画像
１１  第１の制御部
１３  第１のデータ記憶部
１４  外観画像記憶部
２  計測端末
２０  ディスプレイ（第２の表示部）
２ａ  ハウジング
２５  操作部
３  通信回線
【図１】
2009104554.tif 000003
【図２】
2009104554.tif 000004
【図３】
2009104554.tif 000005
【図４】
2009104554.tif 000006
【図５】
2009104554.tif 000007
【図６】
2009104554.tif 000008